(57)【特許請求の範囲】
【請求項１】
積層して構成され、防音壁を形成する木材防音板において、
防音板の前面及び後面を構成する防音棒と、
前記防音棒が所定の間隔で配列・固定される上・下フレームおよび隔板と、
前記上下フレームに挟まれて固定される側面板および隔板と、
植物の種が表面に蒸着された吸音断熱材と、
前記上・下フレームと前記吸音断熱材に貫通するように挿入し、水吸収部材が内部に充填されて表面全体に無数の通穴が形成され、前記各防音板の前記吸音断熱材に水を均等に供給する水吸収管と、を含むことを特徴とする植生可能な防音壁。
【請求項２】
前記上部フレームは、所定の幅と長さを有する板体の前後面が下向きに折曲された挿止部および上面の中間に長手方向に形成された多数の通穴を有し、通穴の前後方向の上面に長手方向に沿って上向きに突出閾が折曲形成され、
前記下部フレームは前記上部フレームの直下部に所定の間隔で設定される板体の前後面が下向きに折曲された挿止部および上面の中間に長手方向に形成された多数個の通穴を有し、通穴の前後方向の下面に長手方向に沿って上向きに挿入溝が折曲形成され、
前記側面板は内側に折り曲げられた折曲面を有する四角板体形で、前記上・下フレームの側面挿止部に挟まれて固定され、
前記防音棒は、半円形で前記上、下部フレームおよび前記隔板の固定面に所定の間隔で配列・固定され、
前記吸音断熱材は植生のため植物の種が表面に蒸着される、ことを特徴とする請求項１に記載の植生可能な防音壁。
【請求項３】
前記吸音断熱材が加工された腐土でなることを特徴とする請求項１に記載の植生可能な防音壁。
【請求項４】
前記下部フレーム内側の所定の位置に突出閾を形成し、突出閾上部に金属製網を載せて防音板内に積層される吸音断熱材の下部に貯水空間を形成することを特徴とする請求項１に記載の植生可能な防音壁。
【発明の詳細な説明】
【０００１】
【発明の属する技術分野】
本発明は植生可能な防音壁に関し、より詳しくは、防音壁を構成する各々の防音板の内側に植物を水栽培して防音板の前面防音棒の間に植物が生長するようにすることにより、防音壁の機能はそのまま維持しながらも防音壁の冷たい雰囲気を環境にやさしい雰囲気に改善するとともに、周囲環境の美観の向上にも役立つようにする傍ら、植物を自生可能にする植生可能な防音壁に関する。
【０００２】
【従来の技術】
一般に、防音壁は前後面板をＨビームで挟んで結合するが、前面板を平板又は凹凸形にし、前後面板の間に吸音材を内蔵させた防音板を順次積層させてなるものもあり、これは外部の騒音を吸収又は遮断する防音壁に適用される。
最近、都市の環境美化に対する関心が高まり、高層建物も都市の環境を最大限に考慮して建設されている。都心を縦横無尽に走る道路及び疾走する車両等による騒音公害も都市の環境を阻害する要因であるため、道路の騒音を遮断することが重要視されており、騒音は防音壁を介して拡散、吸収することで防止されている。
【０００３】
防音壁は、鉄構造物で構成され、都心や大規模アパートの近くに設けられるため、都市の固い雰囲気をより冷たく感じさせて環境美化に悪影響を及ぼしているのが実情である。
【０００４】
このような点を考慮し、最近は従来の平板形防音板の機能をもつとともに、環境にやさしい木材防音棒を前面又は後面に固定させた木材防音板が紹介されたが、これもまた画一化された防音棒の配列による人為的な美観に対する拒否感や退屈さが誘発されるという問題点があった。
【０００５】
これを改善し、最近、従来の平板形防音板に別の植木鉢を一定の間隔で設けることが紹介されているが、この場合は防音のための防音板と植生用鉢を別に各々製作しなければならないので製作費用が高くなり、防音壁の施工作業が非常に困難であるという問題点が指摘されている。
さらに、植物の生長を維持するため持続的な管理が必要と言う問題点もあった。
【０００６】
【発明が解決しようとする課題】
本発明は、防音壁を構成する各々の防音板の内側に、植物を水栽培して防音板の前面防音棒の間に植物が生長するようにすることで、防音壁の機能はそのまま維持しながらも防音壁の冷たい雰囲気を環境にやさしい雰囲気に改善するものである。併せて、周囲環境の美観の向上にも役立つようにする傍ら、植物を自生可能にする植生可能な防音壁を提供することに目的がある。
【０００７】
【課題を解決するための手段】
本発明は、積層して構成され、防音壁を形成する木材防音板において、防音板の前面及び後面を構成する防音棒と、前記防音棒が所定の間隔で配列・固定される上・下フレームおよび隔板と、前記上下フレームに挟まれて固定される側面板および隔板と、植物の種が表面に蒸着された吸音断熱材と、前記上・下フレームと前記吸音断熱材に貫通するように挿入し、水吸収部材が内部に充填されて表面全体に無数の通穴が形成され、前記各防音板の前記吸音断熱材に水を均等に供給する水吸収管と、を含むことを特徴とする。
【０００８】
【発明の実施の形態】
本発明は、図１乃至図３に示すように、防音壁１００を構成する、木材又は廃プラスチック又は廃プラスチックを利用した発泡体又は再生木材又は金属材からなる防音板１００’において、上・下フレーム１０、２０、側面板３０、隔板３２、および防音棒４０を所定の間隔で配列・固定するようにする。また、防音板１００’内部に植生のための植物の種Ｓが表面に蒸着された吸音断熱材５０を充填して各々の防音板１００’を構成し、水吸収部材６１が内部に充填されて表面全体に無数の通穴６２が形成された水吸収管７０を各々の防音板１００’の上・下フレーム１０、２０と吸音断熱材５０に貫通するように挿入し、水吸収管６０を介して各々の防音板１００’の吸音断熱材５０に水が均等に供給されるように構成されている。
【０００９】
前記において、防音板１００’の前面には模様を陰、陽刻して形成できるようにしたり、模様（色相を含む）を塗装したりして形状を演出できるようにする。
【００１０】
図２に示すとおり、本発明の防音板１００’は、上部フレーム１０、下部フレーム２０、側面板３０、半円形の防音棒４０、吸音断熱材５０から構成されている。
上部フレーム１０は、所定の幅と長さを有する板体の前後面が下向きに折曲された挿止部１１と、上部面の中間に長手方向に形成された多数の通穴１２と、通穴１２の前後方向の上部面に長手方向に沿って上向きに折曲された突出閾１３で構成される。
【００１１】
下部フレーム２０は、上部フレーム１０の直下部に所定の間隔で備えられる板体の前後面が上向きに折曲された挿止部２１と、上部面の中間に長手方向に形成された多数個の通穴２２と、通穴２２の前後方の下部面に長手方向に沿って上向きに折曲された挿入溝２３で構成される。
【００１２】
側面板３０は、上・下フレーム１０、２０の側面挿止部１１、２１に挟まれて固定される四角板体形であり、半円形の防音棒４０のうち垂直方向に取り付けられるものは、上・下フレーム１０、２０の側面挿止部１１、２１に所定の間隔で配列され、半円形の防音棒４０のうち水平方向に取り付けられるものは、隔板３２に所定の間隔で配列される。防音板１００’内部には、植生のための植物の種Ｓが表面に蒸着された吸音断熱材５０が充填される。
防音板１００’内部に充填される吸音断熱材５０は、隔板３２の個数及び位置によってその大きさが異なり、水吸収管６０が挿入できるように垂直の貫通穴５０’が形成されている。
【００１３】
隔板３２は、防音棒４０を補助的に支持するものであり、場合によっては省いても差し支えない。
吸音断熱材５０は、スタイロフォーム、ＰＰ、ＰＥ、ウレタン樹脂、ガラス繊維等断熱効果に優れ、水の吸収が容易な材質であれば何れを用いてもよく、防音板１００’内の温度の変化を最小にして、冬期の植物Ｓ’の成長を維持できるようにすることが必要である。
【００１４】
防音板１００’は、通常のＨビームＨの間に積層されて固定され、各防音板１００’を垂直に貫通する水吸収管６０を介して互いに連結されて、各々の吸音断熱材５０に水が均等に供給されるので、植物Ｓ’が均等に成長できるようになる。
【００１５】
植物Ｓ’は防音壁１００を施工する際、吸音断熱材５０に噴霧方式で蒸着された種Ｓが成長したもので、種Ｓの蒸着方式は本発明の権利範囲には属しない通常のものであり、種Ｓは施工後早期に成長させるため別に加工処理されたものであればより望ましい。
【００１６】
本発明は、土を全く用いないで植物を栽培する方式であるため、自然降水量に頼るだけでなく、定期的に水と肥料を投与する栽培管理が必要であり、これは防音壁の外観掃除とともに行うことが望ましい。
【００１７】
前記のような栽培管理を必要としない本発明の他の実施形態は、図５及び図６に示すように、積層される防音板１００’の最下部に、四角函体形で上部面が内側に折り曲げられて水平な面７１を形成する貯水槽７０を設置するものである。貯水槽７０内の下部まで水吸収管６０を挿入することにより、貯蔵された水及び肥料が水吸収管６０の水吸収部材６１を通じて上昇し、各防音板１００’内部の吸音断熱材５０に供給されて植物Ｓ’を成長させるようになっている。
【００１８】
吸音断熱材５０は、断熱効果に優れて水の吸収が容易な材質からなり、スタイロフォーム、ＰＰ、ＰＥ、ウレタン樹脂、ガラス繊維等を利用することが望ましいが、植物Ｓ’に必要な養分を供給して植物Ｓ’の自生力をより向上させるように腐植土を加工して代替することもできる。腐葉土は、落ち葉又は木の皮等が腐って作られた腐食質２０％以上を含む黒褐色の肥沃な土壌を言う。
【００１９】
さらに、図７に示すように、下部フレーム２０内側の所定の位置に突出閾２４を形成し、突出閾２４上部に金属製網２５を載せて防音板１００’内の吸音断熱材５０の下部に貯水空間７０’を形成する方法もある。貯水空間７０’に、水又は肥料を貯蔵することで、各防音板１００’の吸音断熱材５０に水又は肥料がより速かで均等に供給されるようにして、植物Ｓ’の成長を助けることが出来る。
【００２０】
【発明の効果】
本発明は別の植木鉢を設けなくても各々の防音板の内側に植物を水栽培して防音板の前面防音棒の間に植物が生長するようにすることにより、防音壁の機能はそのまま維持しながらもセメント及び鉄材の集合でなる都心の冷たい環境を自然美あふれるロマンチックな雰囲気に改善するとともに、防音壁の冷たく退屈な雰囲気を環境にやさしい雰囲気に改善する効果がある。
【図面の簡単な説明】
【図１】本発明に係る防音壁の構成を示す部分分離斜視図である。
【図２】本発明を構成する防音板の全体構成を示す分離斜視図である。
【図３】本発明の内部構成及び積層状態を示す部分側断面図である。
【図４】本発明に係る防音壁に植生された状態を示す使用状態図である。
【図５】本発明に係る他の実施の形態を示す部分分離斜視図である。
【図６】図５の内部構成を示す部分側断面図である。
【図７】本発明に係るさらに他の実施の形態を示す部分側断面図である。
【符号の説明】
１０  上部フレーム
１１  挿止部
１２  通穴
１３  突出閾
２０  下部フレーム
２１  挿止部
２２  通穴
２３  挿入溝
３０  側面板
３１  固定面
３２  隔板
３３  補強片
４０  防音棒
５０  吸音断熱材
６０  水吸収管
６１  水吸収部材
６２  通穴
７０  貯水槽
７１  安着面
１００  防音壁
１００’  防音板
Ｈ  Ｈ型鋼
Ｓ  種
Ｓ’  植物
【図１】
0003627041.tif 000002
【図２】
0003627041.tif 000003
【図３】
0003627041.tif 000004
【図４】
0003627041.tif 000005
【図５】
0003627041.tif 000006
【図６】
0003627041.tif 000007
【図７】
0003627041.tif 000008